(57)【特許請求の範囲】
【請求項１】
第１の基板を有し、
前記第１の基板の上方に第１の絶縁膜を有し、
前記第１の絶縁膜の上方に第２の絶縁膜を有し、
前記第２の絶縁膜の上方にトランジスタを有し、
前記トランジスタの上方に第３の絶縁膜を有し、
前記第３の絶縁膜の上方に、前記トランジスタに電気的に接続される第１の導電膜と、前記第１の導電膜の上方の有機化合物層と、前記有機化合物層の上方の第２の導電膜とを有する発光素子を有し、
前記第３の絶縁膜の上方に、前記第１の導電膜の端部を覆うように設けられた第４の絶縁膜を有し、
前記第３の絶縁膜の上方に第３の導電膜を有し、
前記第２の導電膜の上方に、前記第２の導電膜に接する有機膜を有し、
前記有機膜の上方に第２の基板を有し、
前記有機膜と前記第２の基板との間に空隙を有し、
前記第２の導電膜は、前記第４の絶縁膜に接する第１の領域を有し、
前記第２の導電膜は、前記第３の導電膜に接する第２の領域を有し、
前記第２の領域の位置は、前記第１の領域の位置よりも前記第１の基板の第１の端部に近い位置にあり、
前記第２の導電膜は、前記第２の領域の位置よりも前記第１の基板の第１の端部に近い位置には設けられておらず、
前記発光素子は、少なくとも前記有機膜と前記第２の基板とを通って外部に発光することができ、
前記第１の基板の第１の端部と、前記有機膜の端部であって前記第１の基板の第１の端部側の端部との間に、前記第３の導電膜が設けられた領域を有することを特徴とする発光装置。
【請求項２】
第１の基板を有し、
前記第１の基板の上方に第１の絶縁膜を有し、
前記第１の絶縁膜の上方に第２の絶縁膜を有し、
前記第２の絶縁膜の上方にトランジスタを有し、
前記トランジスタの上方に第３の絶縁膜を有し、
前記第３の絶縁膜の上方に、前記トランジスタに電気的に接続される第１の導電膜と、前記第１の導電膜の上方の有機化合物層と、前記有機化合物層の上方の第２の導電膜とを有する発光素子を有し、
前記第３の絶縁膜の上方に、前記第１の導電膜の端部を覆うように設けられた第４の絶縁膜を有し、
前記第３の絶縁膜の上方に第３の導電膜を有し、
前記第２の導電膜の上方に、前記第２の導電膜に接する有機膜を有し、
前記有機膜の上方に第２の基板を有し、
前記有機膜と前記第２の基板との間に空隙を有し、
前記第２の導電膜は、前記第４の絶縁膜に接する第１の領域を有し、
前記第２の導電膜は、前記第３の導電膜に接する第２の領域を有し、
前記第２の領域の位置は、前記第１の領域の位置よりも前記第１の基板の第１の端部に近い位置にあり、
前記第１の領域は、前記第２の領域の位置よりも前記第１の基板の第１の端部に近い位置には設けられておらず、
前記発光素子は、少なくとも前記有機膜と前記第２の基板とを通って外部に発光することができ、
前記第１の基板の第１の端部と、前記有機膜の端部であって前記第１の基板の第１の端部側の端部との間に、前記第３の導電膜が設けられた領域を有することを特徴とする発光装置。
【発明の詳細な説明】
【技術分野】
【０００１】
発光装置、特に、プラスチック基板上に形成された有機発光素子（ＯＬＥＤ：Organic 
Light Emitting Device）を有する発光装置に関する。また、該ＯＬＥＤパネルにコント
ローラを含むＩＣ等を実装した、ＯＬＥＤモジュールに関する。なお本明細書において、
ＯＬＥＤパネル及びＯＬＥＤモジュールを共に発光装置と総称する。本発明はさらに、該
発光装置を用いた電子機器に関する。
【背景技術】
【０００２】
近年、絶縁表面を有する基板上に形成された半導体薄膜（厚さ数〜数百ｎｍ程度）を用
いて薄膜トランジスタ（ＴＦＴ）を構成する技術が注目されている。薄膜トランジスタは
ＩＣや電気光学装置のような電子デバイスに広く応用され、特に画像表示装置のスイッチ
ング素子として開発が急がれている。
【０００３】
このような画像表示装置を利用したアプリケーションは様々なものが期待されているが
、特に携帯機器への利用が注目されている。現在、ガラス基板や石英基板が多く使用され
ているが、割れやすく、重いという欠点がある。また、大量生産を行う上で、ガラス基板
や石英基板は大型化が困難であり、不向きである。そのため、可撓性を有する基板、代表
的にはフレキシブルなプラスチックフィルムの上にＴＦＴ素子を形成することが試みられ
ている。
【０００４】
しかしながら、プラスチックフィルムの耐熱性が低いためプロセスの最高温度を低くせ
ざるを得ず、結果的にガラス基板上に形成する時ほど良好な電気特性のＴＦＴを形成でき
ないのが現状である。そのため、プラスチックフィルムを用いた高性能な発光素子は実現
されていない。
【発明の概要】
【発明が解決しようとする課題】
【０００５】
近年、自発光型素子としてＯＬＥＤを有したアクティブマトリクス型発光装置（以下、
単に発光装置と呼ぶ）の研究が活発化している。発光装置は有機発光装置（ＯＥＬＤ：Or
ganic EL Display）又は有機ライトエミッティングダイオード（ＯＬＥＤ：Organic Ligh
t Emitting Diode）とも呼ばれている。
【０００６】
ＯＬＥＤは自ら発光するため視認性が高く、液晶表示装置（ＬＣＤ）で必要なバックライ
トが要らず薄型化に最適であると共に、視野角にも制限が無い。そのため、ＯＬＥＤを用
いた発光装置は、ＣＲＴやＬＣＤに代わる表示装置として注目されている。
【０００７】
もし、プラスチックフィルム等の可撓性を有する基板の上に有機発光素子（ＯＬＥＤ：
Organic Light Emitting Device）が形成された発光装置を作製することができれば、厚
みが薄く軽量であるということに加えて、曲面を有するディスプレイや、ショーウィンド
ウ等などにも用いることができる。よって、その用途は携帯機器のみに限られず、応用範
囲は非常に広い。
【０００８】
しかし、プラスチックからなる基板は、一般的に水分や酸素を透過しやすく、有機発光
層はこれらのものによって劣化が促進されるので、特に発光装置の寿命が短くなりやすい
。そこで従来では、プラスチック基板とＯＬＥＤの間に窒化珪素や窒化酸化珪素などから
なる絶縁膜を設け、水分や酸素の有機発光層への混入を防いでいた。しかしながら、窒化
珪素や窒化酸化珪素などからなる絶縁膜では水分や酸素の有機発光層への混入を十分防止
することは困難であった。
【０００９】
加えて、プラスチックフィルム等の基板は一般的に熱に弱く、窒化珪素や窒化酸化珪素
などの絶縁膜の成膜温度を高くしすぎると、基板が変形しやすくなる。
また、成膜温度が低すぎると膜質の低下につながり、水分や酸素の透過を十分防ぐことが
難しくなる。
【００１０】
また、プラスチックフィルム等の基板上に設けた素子を駆動する際、局所的に発熱が生
じて基板の一部が変形、変質してしまうことも問題になっている。
【００１１】
さらに、水分や酸素の透過を防ぐために、窒化珪素や窒化酸化珪素などの絶縁膜の膜厚
を厚くすると、応力が大きくなり、クラック（亀裂）が入りやすくなる。また、膜厚を厚
くすると、基板が曲げられたときに膜にクラックが入りやすくなる。また、基板を剥離す
る際、被剥離層が曲げられ、被剥離層にクラックが入ることもある。
【００１２】
また、ＴＦＴは、水分や酸素に加え、アルカリ金属（Ｌｉ、Ｃｓ、Ｎａ等）やアルカリ
土類金属（Ｃａ、Ｍｇ等）や他の金属元素の不純物が活性層に拡散すると特性が変化しや
すい。
【００１３】
また、最終製品とした後においても、他の不純物、例えば人の汗や接続部品からの不純
物が拡散し、有機発光層やＴＦＴの活性層に混入すると、変質や劣化が促進される恐れが
ある。
【００１４】
本発明は上記問題に鑑み、水分や酸素やアルカリ金属やアルカリ土類金属などの不純物の
拡散による劣化を抑えることが可能な発光装置、具体的には、プラスチック基板上に形成
されたＯＬＥＤを有する発光装置の提供を課題とする。
【課題を解決するための手段】
【００１５】
本発明は、プラスチック基板上に、酸素や水分がＯＬＥＤの有機発光層に入り込むのを防
ぎ、且つアルカリ金属およびアルカリ土類金属などの不純物がＴＦＴの活性層に入り込む
のを防ぐことの可能なＡｌＮXＯYで示される層からなる膜（以下、バリア膜）を設ける。
【００１６】
本明細書で開示する発明の構成は、絶縁表面を有する基板上に陰極と、該陰極に接する有
機化合物層と、該有機化合物層に接する陽極とを有する発光素子を備えた発光装置であっ
て、前記基板に接してＡｌＮXＯYで示される層が設けられていることを特徴とする発光装
置である。
【００１７】
なお、上記アルミニウムを含む窒化酸化物層は、窒素を２．５atm％〜４７．５atm％含
む膜であり、水分や酸素をブロッキングすることができる効果に加え、熱伝導性が高く放
熱効果を有し、さらには透光性が非常に高いという特徴を有している。加えて、アルカリ
金属やアルカリ土類金属などの不純物がＴＦＴの活性層に入り込むのを防ぐことができる
。
【００１８】
また、２枚の基板で挟んで酸素や水分がＯＬＥＤの有機発光層に入り込むのを防ぐ構成と
してもよく、本発明の他の構成は、陰極と、該陰極に接する有機化合物層と、該有機化合
物層に接する陽極とを有する発光素子を第１の基板と第２の基板との間に挟んだ発光装置
であって、前記第１の基板または前記第２の基板には、ＡｌＮXＯYで示される層が設けら
れ、且つ、前記発光素子は、ＡｌＮXＯYで示される層で覆われていることを特徴とする発
光装置である。
【００１９】
さらに、２枚の基板で挟む際には接着層で基板同士を接着することになるが、両基板に
バリア膜を設けても、接着層を通過して水分や酸素などの不純物が侵入してくる恐れがあ
る。そこで、上記発光素子を覆うパッシベーション膜（保護膜とも呼ぶ）としてＡｌＮX
ＯYで示される層を用い、上記発光素子をバリア膜とパッシベーション膜とで包む構造と
することが好ましい。加えて、上記発光素子を覆って、ＡｌＮXＯYで示される層からなる
パッシベーション膜を２層以上設けて、さらに該２層のパッシベーション膜の間に樹脂を
含む応力緩和膜（以下、応力緩和膜と呼ぶ）を設けてもよい。パッシベーション膜に比べ
て応力が小さい応力緩和膜を、応力緩和膜の間に挟むことで、全体の応力を緩和すること
ができる。
【００２０】
また、本発明は、プラスチック基板上に、酸素や水分がＯＬＥＤの有機発光層に入り込
むのを防ぐバリア膜と、前記バリア膜よりも応力の小さい有機樹脂からなる層（応力緩和
膜）との積層を設けてもよく、本発明の他の構成は、絶縁表面を有する基板上に陰極と、
該陰極に接する有機化合物層と、該有機化合物層に接する陽極とを有する発光素子を備え
た発光装置であって、前記基板に接してＡｌＮXＯYで示される層と有機樹脂からなる層と
の積層が設けられていることを特徴とする発光装置である。
【００２１】
また、２枚の基板で挟んで酸素や水分がＯＬＥＤの有機発光層に入り込むのを防ぐ構成と
してもよく、本発明の他の構成は、陰極と、該陰極に接する有機化合物層と、該有機化合
物層に接する陽極とを有する発光素子を第１の基板と第２の基板との間に挟んだ発光装置
であって、前記第１の基板または前記第２の基板には、ＡｌＮXＯYで示される層と有機樹
脂からなる層との積層が設けられ、且つ、前記発光素子は、ＡｌＮXＯYで示される層で覆
われていることを特徴とする発光装置である。
【００２２】
具体的には、ＡｌＮXＯYで示される層からなるバリア膜を２層以上設けて、さらに該２層
のバリア膜の間に樹脂を含む応力緩和膜（以下、応力緩和膜と呼ぶ）を設ける。そして、
該３層以上の絶縁膜上にＯＬＥＤを形成して密封することにより、発光装置を形成する。
【００２３】
本発明では、ＡｌＮXＯYで示される層からなる複数のバリア膜を積層することで、バリ
ア膜にクラックが生じても、他のバリア膜で水分や酸素などの不純物が有機発光層に入り
込むのを効果的に防ぐことができ、アルカリ金属などの不純物がＴＦＴの活性層に入り込
むのを効果的に防ぐことができる。
【００２４】
また、バリア膜に比べて応力が小さい応力緩和膜を、応力緩和膜の間に挟むことで、全体
の応力を緩和することができる。よって、トータルのバリア膜の厚さは同じであっても、
１層のみのバリア膜に比べて、応力緩和膜を間に挟んだバリア膜は、応力によるクラック
が入りにくい。
【００２５】
したがって、１層のみのバリア膜に比べて、トータルのバリア膜の膜厚は同じであっても
、水分や酸素などの不純物の有機発光層への混入を効果的に防ぐことができ、さらに、応
力によるクラックが入りにくい。
【００２６】
また、バリア膜と応力緩和膜の積層により、よりフレキシブルになり、曲げたときのクラ
ックを防ぐことができる。
【００２７】
また、上記各構成において、前記有機樹脂からなる層は、ＡｌＮXＯYで示される層より
も応力が小さい材料、例えば、ポリイミド、アクリル、ポリアミド、ポリイミドアミド、
ベンゾシクロブテン、またはエポキシ樹脂から選ばれた単層、またはそれらの積層からな
ることを特徴としている。また、上記各構成において、前記有機樹脂からなる層は、前記
基板を接着する接着層を含むことを特徴としている。
【００２８】
また、上記各構成において、前記基板は、可撓性を有するプラスチック基板であれば特
に限定されないが、例えば、ポリエチレンテレフタレート（ＰＥＴ）、ポリエーテルスル
ホン（ＰＥＳ）、ポリエチレンナフタレート（ＰＥＮ）、ポリカーボネート（ＰＣ）、ナ
イロン、ポリエーテルエーテルケトン（ＰＥＥＫ）、ポリスルホン（ＰＳＦ）、ポリエー
テルイミド（ＰＥＩ）、ポリアリレート（ＰＡＲ）、ポリブチレンテレフタレート（ＰＢ
Ｔ）、ポリイミドから選ばれた１種または複数種からなるプラスチック基板である。
【００２９】
また、本発明の他の構成は、ＡｌＮXＯYで示される層上に有機樹脂からなる層と、該層
上にＡｌＮXＯYで示される層とが積層形成されたポリイミド基板上に、陰極と、該陰極に
接する有機化合物層と、該有機化合物層に接する陽極とを有する発光素子を備えた発光装
置である。
【００３０】
また、本発明の他の構成は、ＡｌＮXＯYで示される層上に有機樹脂からなる層と、該層
上にＡｌＮXＯYで示される層とが積層形成されたポリエチレンサルファイル基板上に、陰
極と、該陰極に接する有機化合物層と、該有機化合物層に接する陽極とを有する発光素子
を備えた発光装置である。
【００３１】
また、本発明の他の構成は、ＡｌＮXＯYで示される層上に有機樹脂からなる層と、該層
上にＡｌＮXＯYで示される層とが積層形成されたポリカーボネート基板上に、陰極と、該
陰極に接する有機化合物層と、該有機化合物層に接する陽極とを有する発光素子を備えた
発光装置である。
【００３２】
また、本発明の他の構成は、ＡｌＮXＯYで示される層上に有機樹脂からなる層と、該層
上にＡｌＮXＯYで示される層とが積層形成されたポリエチレンテレフタレート基板上に、
陰極と、該陰極に接する有機化合物層と、該有機化合物層に接する陽極とを有する発光素
子を備えた発光装置である。
【００３３】
また、本発明の他の構成は、ＡｌＮXＯYで示される層上に有機樹脂からなる層と、該層
上にＡｌＮXＯYで示される層とが積層形成されたポリエチレンナフタレート基板上に、陰
極と、該陰極に接する有機化合物層と、該有機化合物層に接する陽極とを有する発光素子
を備えた発光装置である。
【００３４】
また、本発明の他の構成は、発光装置と外部との間にＡｌＮXＯYで示される層または有
機樹脂からなる層を単層または多層有していることを特徴とする電子機器である。
【００３５】
また、上記各構成において、前記ＡｌＮXＯYで示される層は、周期律１３族元素または
周期律１５族元素の不純物を０．１atm％〜５atm％含むことを特徴としている。
【００３６】
また、上記各構成において、リン元素またはボロン元素を０．１atm％〜５atm％含むこ
とを特徴とする発光装置。
【００３７】
また、上記各構成における上記ＡｌＮXＯYで示される層により、素子の発熱を拡散させ
て素子の劣化を抑える効果とともに、プラスチック基板の変形や変質を保護する効果を有
する。
【００３８】
なお、本明細書では、ＯＬＥＤの陽極と陰極の間に形成された全ての層を有機発光層と定
義する。有機発光層には具体的に、発光層、正孔注入層、電子注入層、正孔輸送層、電子
輸送層等が含まれる。基本的にＯＬＥＤは、陽極／発光層／陰極が順に積層された構造を
有しており、この構造に加えて、陽極／正孔注入層／発光層／陰極や、陽極／正孔注入層
／発光層／電子輸送層／陰極等の順に積層した構造を有していることもある。
【００３９】
また、ＯＬＥＤは、電場を加えることで発生するルミネッセンス（Electroluminescence
）が得られる有機化合物（有機発光材料）を含む層（以下、有機発光層と記す）と、陽極
と、陰極とを有している。有機化合物におけるルミネッセンスには、一重項励起状態から
基底状態に戻る際の発光（蛍光）と三重項励起状態から基底状態に戻る際の発光（リン光
）とがあるが、本発明の発光装置は、上述した発光のうちの、いずれか一方の発光を用い
ていても良いし、または両方の発光を用いていても良い。
【発明の効果】
【００４０】
本発明のバリア膜（ＡｌＮXＯY膜）を複数積層することで、バリア膜にクラックが生じて
も、他のバリア膜で水分や酸素などの不純物の有機発光層への混入を効果的に防ぐことが
できる。また、本発明のバリア膜（ＡｌＮXＯY膜）により、素子の発熱を拡散させて素子
の劣化を抑える効果とともに、プラスチック基板の変形や変質を保護する効果を有する。
【００４１】
加えて、本発明のバリア膜（ＡｌＮXＯY膜）は、アルカリ金属やアルカリ土類金属など
の不純物のＴＦＴの活性層及び有機発光層への混入を効果的に防ぐことができる。
【００４２】
また、本発明のバリア膜（ＡｌＮXＯY膜）に比べて応力が小さい応力緩和膜を、複数のバ
リア膜の間に挟むことで、絶縁膜全体の応力を緩和することができる。
よって、外力が与えられても破壊することなく、フレキシブルな発光装置とすることがで
きる。
【図面の簡単な説明】
【００４３】
【図１】ＥＬモジュールの上面図および断面図。
【図２】外力が加わったときのＥＬモジュールの外観図。
【図３】ＴＦＴの作製工程を示す図。
【図４】ＴＦＴの作製工程を示す図。
【図５】ＯＬＥＤが設けられたアクティブマトリクス基板の断面図。
【図６】実施例３を説明する工程断面図。
【図７】実施例３を説明する工程断面図。
【図８】実施例４を説明するＥＬモジュールの断面図。
【図９】実施例５を説明するＥＬモジュールの断面図。
【図１０】電子機器の一例を示す図。
【図１１】電子機器の一例を示す図。
【図１２】本発明のＡｌＮXＯY膜の透過率を示すグラフである。
【図１３】本発明のＡｌＮXＯY膜のＥＳＣＡ分析結果である。
【図１４】ＢＴストレスでのＭＯＳ特性（ＡｌＮXＯY膜）である。
【図１５】ＢＴストレスでのＭＯＳ特性（ＳｉＮ膜）である。（比較例）
【発明を実施するための形態】
【００４４】
本発明の実施形態について、以下に説明する。
【００４５】
図１（Ａ）は、ＥＬモジュールを示す上面図、図１（Ｂ）は図１（Ａ）をＡ−Ａ’で切
断した断面図である。図１（Ｂ）において、表面にバリア膜として機能するＡｌＮXＯYで
示される層（ＡｌＮXＯY膜とも呼ぶ）１０ｂと、応力緩和膜（有機樹脂）１０ｃと、Ａｌ
ＮXＯY膜１０ｄとの積層が設けられた可撓性を有するフィルム基板１０ａ（例えば、プラ
スチック基板等）が接着層３３で絶縁膜１１と接着されている。なお、接着層３３もバリ
ア膜よりも応力の小さい材料を用いて応力緩和膜として機能させてもよい。このように、
複数のバリア膜１０ｂ、１０ｄを積層することで、バリア膜にクラックが生じても、他の
バリア膜で水分や酸素などの不純物が有機発光層に入り込むのを効果的に防ぐことができ
る。加えて、複数のバリア膜の間に応力緩和膜を設けることによって、よりフレキシブル
な発光装置になり、曲げたときのクラックを防ぐことができる。
【００４６】
また、膜厚１００ｎｍにおけるＡｌＮXＯY膜の透過率を図１２に示す。図１２に示すよう
に、ＡｌＮXＯY膜は透光性が非常に高く（可視光領域で透過率８０％〜９１．３％）、発
光素子からの発光の妨げにならない。
【００４７】
本発明において、ＡｌＮXＯY膜は、スパッタ法を用い、例えば、窒化アルミニウム（Ａ
ｌＮ）ターゲットを用い、アルゴンガスと窒素ガスと酸素ガスを混合した雰囲気下にて成
膜する。ＡｌＮXＯY膜は、窒素を数atm％以上、好ましくは２．５atm％〜４７．５atm％
含む範囲であればよく、スパッタ条件（基板温度、原料ガスおよびその流量、成膜圧力な
ど）を適宜調節することによって窒素濃度を調節することができる。なお、得られたＡｌ
ＮXＯY膜のＥＳＣＡ（Electron Spectroscopy for Analysis）での分析による組成を図１
３に示す。また、アルミニウム（Ａｌ）ターゲットを用い、窒素ガス及び酸素ガスを含む
雰囲気下にて成膜してもよい。なお、スパッタ法に限定されず、蒸着法やその他の公知技
術を用いてもよい。
【００４８】
また、ＡｌＮXＯY膜による水分や酸素のブロッキング効果を確認するため、膜厚２００
ｎｍのＡｌＮXＯY膜が設けられたフィルム基板でＯＬＥＤを封止したサンプルと、膜厚２
００ｎｍのＳｉＮ膜が設けられたフィルム基板でＯＬＥＤを封止したサンプルとを用意し
て、８５度に加熱した水蒸気雰囲気中での経時変化を調べる実験を行ったところ、ＳｉＮ
膜のサンプルに比べ、ＡｌＮXＯY膜のサンプルのほうがＯＬＥＤの寿命が長く、長時間の
発光が可能であった。この実験結果から、ＡｌＮXＯY膜は、ＳｉＮ膜よりも装置外から水
分や酸素などの不純物といった有機化合物層の劣化を促す物質が侵入することを防げる材
料膜であることが読み取れる。
【００４９】
また、ＡｌＮXＯY膜によるアルカリ金属のブロッキング効果を確認するため、シリコン
基板上に膜厚５０ｎｍの熱酸化膜を設け、その上に膜厚４０ｎｍのＡｌＮXＯY膜を設け、
その上にＬｉを含むアルミニウム電極を設け、これらの膜が設けられた面とは反対側のシ
リコン基板面にＳｉを含むアルミニウム電極を設けて３００℃、１時間の熱処理を行った
後、ＢＴストレス試験（±１．７ＭＶ／ｃｍ、１５０℃、１時間）を行いＭＯＳ特性（Ｃ
−Ｖ特性）を測定した。実験結果を図１４に示す。図１４に示したＣ―Ｖ特性は、プラス
の電圧を印加した時、即ち＋ＢＴの時、プラス側にシフトしていることから、シフトした
原因はＬｉではなく、ＡｌＮXＯY膜によるアルカリ金属のブロッキング効果が有ることが
確認できた。比較のため、ＭＯＳの上方に絶縁膜（膜厚１００ｎｍの窒化シリコン膜）を
介してＡｌＬｉ合金を形成し、同様にそのＭＯＳの特性変動を調べた。結果を図１５に示
す。プラスの電圧を印加した時、即ち＋ＢＴの時、図１５に示したＣ−Ｖ特性変動は大き
くマイナス側にシフトしており、その原因は、主にＬｉが活性層へ混入したことであると
考えられる。
【００５０】
また、ＡｌＮXＯY膜でプラスチック基板の両面のみを覆う構成としてもよい。
【００５１】
なお、ここでは耐熱性を有する基板上に絶縁膜１１、絶縁膜２０を設け、その上に画素部
２２、ソース側駆動回路１４、及びゲート側駆動回路１３を設けた後、カバー材を接着し
て固定し、耐熱性を有する基板を剥離した後、上記フィルム基板を貼りつけているが、特
に限定されず、画素部２２、ソース側駆動回路１４、及びゲート側駆動回路１３の形成温
度に耐え得るフィルム基板であれば、フィルム基板上に画素部２２、ソース側駆動回路１
４、及びゲート側駆動回路１３を形成すればよく、その場合、接着層を設ける必要はない
。
【００５２】
耐熱性を有する基板（ガラス基板や石英基板）を剥離する技術は特に限定されず、ここ
では、膜の内部応力を利用して剥離を行う剥離方法、具体的には、耐熱性を有する基板上
に熱処理によって膜剥がれ（ピーリング）などのプロセス上の異常は生じない第１の材料
層と第２の材料層との積層を設け、該積層上に素子（ＴＦＴや発光素子）を形成した後、
物理的手段、代表的には機械的な力を加えること、例えば人間の手で引き剥がすことで容
易に第２の材料層の層内または界面において、きれいに分離できる方法を用いる。第１の
材料層と第２の材料層との結合力は、熱エネルギーには耐え得る強さを有している一方、
剥離する直前において、引張応力を有する第１の材料層と圧縮応力を有する第２の材料層
との間には応力歪みを有しているため、力学的エネルギーに弱く、剥離する。ここでは、
第１の材料層としてタングステン膜を用い、第２の材料層としてスパッタ法による酸化珪
素膜を用いて剥離させたため、絶縁膜１１が第２の材料層に相当している。
【００５３】
また、耐熱性を有する基板を剥離する他の技術として、分離層を介して存在する被剥離
層を前記基板から剥離する剥離方法（特開平１０−１２５９２９号公報、特開平１０−１
２５９３１号公報）を用いてもよい。上記公報に記載の技術は、非晶質シリコン（または
ポリシリコン）からなる分離層を設け、基板を通過させてレーザー光を照射して非晶質シ
リコンに含まれる水素を放出させることにより、空隙を生じさせて基板を分離させるとい
うものである。
【００５４】
図１（Ｂ）において、絶縁膜２０上には画素部１２、ゲート側駆動回路１３が形成され
ており、画素部１２は電流制御用ＴＦＴ２１とそのドレインに電気的に接続された画素電
極（陰極）２２を含む複数の画素により形成される。電流制御用ＴＦＴ２１としてはｐチ
ャネル型ＴＦＴを用いることも可能であるが、ｎチャネル型ＴＦＴを用いることが好まし
い。また、ゲート側駆動回路１３はｎチャネル型ＴＦＴ２３とｐチャネル型ＴＦＴ２４と
を組み合わせたＣＭＯＳ回路を用いて形成される。各ＴＦＴの活性層としては、結晶構造
を有する半導体膜（ポリシリコン膜）や非晶質構造を有する半導体膜（アモルファスシリ
コン膜など）を用いる。
【００５５】
また、画素電極２２は発光素子（ＯＬＥＤ）の陰極として機能する。また、画素電極２
２の両端にはバンク２５が形成され、画素電極２２上には有機化合物層２６および発光素
子の陽極２７が形成される。
【００５６】
有機化合物層２６としては、発光層、電荷輸送層または電荷注入層を自由に組み合わせ
て有機化合物層（発光及びそのためのキャリアの移動を行わせるための層）を形成すれば
良い。例えば、低分子系有機化合物材料や高分子系有機化合物材料を用いればよい。また
、有機化合物層２６として一重項励起により発光（蛍光）する発光材料（シングレット化
合物）からなる薄膜、または三重項励起により発光（リン光）する発光材料（トリプレッ
ト化合物）からなる薄膜を用いることができる。また、電荷輸送層や電荷注入層として炭
化珪素等の無機材料を用いることも可能である。これらの有機材料や無機材料は公知の材
料を用いることができる。
【００５７】
陽極２７は全画素に共通の配線としても機能し、接続配線１８を経由してＦＰＣ１９に
電気的に接続されている。さらに、画素部１２及びゲート側駆動回路１３に含まれる素子
は全て陽極２７、有機樹脂２８、及び保護膜２９で覆われている。
【００５８】
また、図１（Ａ）において、２８は有機樹脂、２９は保護膜であり、画素部１２および駆
動回路１３、１４は有機樹脂２８で覆われ、その有機樹脂は保護膜（ＡｌＮXＯY膜）２９
で覆われている。なお、有機樹脂２８としては、できるだけ可視光に対して透明もしくは
半透明な材料を用いるのが好ましい。また、有機樹脂２８はできるだけ水分や酸素などの
不純物を透過しない材料であることが望ましい。
【００５９】
さらに、画素部１２および駆動回路１３、１４は、接着剤を用いてカバー材３０ａで封
止されている。カバー材３０ａは、支持体として剥離前に接着される。
なお、支持体となるカバー材３０ａを接着した後、剥離する際には配線引き出し端子の部
分（接続部分）が絶縁膜２０、１１のみとなり機械強度が弱くなるため、剥離前にＦＰＣ
１９を貼りつけ、さらに有機樹脂３２で固定している。
【００６０】
ここで、熱や外力などによる変形に耐えるためカバー材３０ａはフィルム基板１０ａと
同じ材質のもの、例えばプラスチック基板を用いることが望ましい。なお、水分や酸素な
どの不純物の侵入を防ぐため、カバー材３０ａには予めＡｌＮXＯY膜３０ｂを形成する。
ここではカバー材中を通して発光を通過させるため、単層のバリア層（ＡｌＮXＯY膜３０
ｂ）としたが、フィルム基板１０ａと同様に、複数のバリア膜と、該バリア膜どうしの間
に前記バリア膜よりも応力の小さい層（応力緩和膜）を設けてもよい。その場合、応力緩
和膜としては透光性の高いものを用いる。
【００６１】
なお、１８はソース側駆動回路１４及びゲート側駆動回路１３に入力される信号を伝送
するための配線であり、外部入力端子となるＦＰＣ（フレキシブルプリントサーキット）
１９からビデオ信号やクロック信号を受け取る。なお、ここではＦＰＣしか図示されてい
ないが、このＦＰＣにはプリント配線基盤（ＰＷＢ）
が取り付けられていても良い。本明細書におけるＥＬモジュールには、発光素子が設けら
れた基板本体だけでなく、それにＦＰＣもしくはＰＷＢが取り付けられた状態をも含むも
のとする。
【００６２】
以上のような構造で発光素子をＡｌＮXＯYで示されるバリア膜１０ｂ、１０ｄ及びＡｌ
ＮXＯYで示される保護膜２９で封入することにより、発光素子を外気から完全に遮断する
ことができ、装置外から水分や酸素等による有機化合物層の酸化が主原因である劣化を促
す物質が侵入することを防ぐことができる。加えて、熱伝導性を有するＡｌＮXＯY膜によ
り発熱を発散することができる。従って、信頼性の高い発光装置を得ることができる。
【００６３】
加えて、複数のバリア膜の間に応力緩和膜を設けることによって、外力が与えられても
破壊することなく、フレキシブルな発光装置になる。
【００６４】
また、図２には、外力が与えられたフレキシブルな発光装置４５の外観図を示した。図
２中、４０は画素部、４１はＦＰＣ、４２ａ、４２ｂは集積回路、４３ａ、４３ｂはゲー
ト側駆動回路、４４はソース側駆動回路、４５ａ、４５ｂはフィルム基板である。フィル
ム基板４５ａ及びフィルム基板４５ｂには、ＡｌＮXＯYで示される層と有機樹脂からなる
層との積層が片面または両面に設けられており、外からの水分、酸素、アルカリ金属など
の不純物が侵入してくるのを防ぎ、ＯＬＥＤ及びＴＦＴを保護している。
【００６５】
また、ＡｌＮXＯYで示される層と有機樹脂からなる層との積層を基板の外側表面に設け
た場合、発光装置と外部との間にＡｌＮXＯYで示される層または有機樹脂からなる層を単
層または多層有している構成となり、外部からの不純物拡散を防止することができる。本
明細書中、外部とは、ＥＬモジュールに外部接続される素子やＩＣチップ、ＥＬモジュー
ルに接触するパッケージやその他の部材を含めた総称を指すこととする。
【００６６】
なお、フィルム基板４５ａ上に画素部４０や駆動回路や発光素子が設けられており、フ
ィルム基板４５ｂとでこれらの素子を挟みこんでいる。これらの画素部や駆動回路と同一
基板上に複雑な集積回路（メモリ、ＣＰＵ、コントローラ、Ｄ／Ａコンバータ等）４２ａ
、４２ｂを形成しても可能であるが、少ないマスク数での作製は困難である。従って、メ
モリ、ＣＰＵ、コントローラ、Ｄ／Ａコンバータ等を備えたＩＣチップを、ＣＯＧ（chip
on glass）方式やＴＡＢ（tape automated bonding）方式やワイヤボンディング方法で
実装することが好ましい。
フィルム基板４５ａとフィルム基板４５ｂとを接着した後、ＩＣチップを装着してもよい
し、フィルム基板４５ａにＩＣチップを装着した後でフィルム基板４５ｂで封止してもよ
い。
【００６７】
なお、ここではＦＰＣしか図示されていないが、このＦＰＣにはプリント配線基盤（Ｐ
ＷＢ）が取り付けられていても良い。
【００６８】
また、画素電極を陽極とし、有機化合物層と陰極を積層して図１とは逆方向に発光する
構成としてもよい。その場合には電流制御用ＴＦＴとしてｐチャネル型ＴＦＴを用いるこ
とが好ましい。
【００６９】
以上の構成でなる本発明について、以下に示す実施例でもってさらに詳細な説明を行う
こととする。
【実施例１】
【００７０】
本発明の実施例を図３及び図４を用いて説明する。ここでは、まず、同一基板上にｎ
チャネル型ＴＦＴとｐチャネル型ＴＦＴとを相補的に組み合わせたＣＭＯＳ回路を同時に
作製する方法について詳細に説明する。
【００７１】
まず、基板１００上に第１の材料層１０１、第２の材料層１０２、下地絶縁膜１０３を形
成し、結晶構造を有する半導体膜を得た後、所望の形状にエッチング処理して島状に分離
された半導体層１０４、１０５を形成する。
【００７２】
基板１００としては、ガラス基板（＃１７３７）を用いる。
【００７３】
また、第１の材料層１０１としては、成膜後或いは剥離直前において、１〜１×１０10
（Dyne/cm2）の範囲で引張応力を有することを特徴としている。前記第１の材料層として
は、上記範囲の引張応力を有する材料であれば、特に限定されず、金属材料（Ｔｉ、Ａｌ
、Ｔａ、Ｗ、Ｍｏ、Ｃｕ、Ｃｒ、Ｎｄ、Ｆｅ、Ｎｉ、Ｃｏ、Ｚｒ、Ｚｎ、Ｒｕ、Ｒｈ、Ｐ
ｄ、Ｏｓ、Ｉｒ、Ｐｔなど）、半導体材料（例えばＳｉ、Ｇｅなど）、絶縁体材料、有機
材料のいずれか一層、またはこれらの積層を用いることができる。なかでも、タングステ
ン膜、窒化タングステン膜、窒化チタン膜が好ましい。なお、１〜１×１０10（Dyne/cm2
）よりも大きな引張応力を有する膜は、熱処理を加えた場合、ピーリングを起しやすい。
ここではスパッタ法で膜厚１００ｎｍの窒化チタン膜を用いる。なお、基板１００と密着
性が悪い場合にはバッファ層を設ければよい。
【００７４】
また、第２の材料層１０２としては、−１〜−１×１０10（Dyne/cm2）の範囲で圧縮応
力を有することを特徴としている。前記第２の材料層としては、上記範囲の圧縮応力を有
する材料であれば、特に限定されず、金属材料（Ｔｉ、Ａｌ、Ｔａ、Ｗ、Ｍｏ、Ｃｕ、Ｃ
ｒ、Ｎｄ、Ｆｅ、Ｎｉ、Ｃｏ、Ｚｒ、Ｚｎ、Ｒｕ、Ｒｈ、Ｐｄ、Ｏｓ、Ｉｒ、Ｐｔなど）
、半導体材料（例えばＳｉ、Ｇｅなど）、絶縁体材料、有機材料のいずれか一層、または
これらの積層を用いることができる。なお、−１×１０10（Dyne/cm2）よりも大きな圧縮
応力を有する膜は、熱処理を加えた場合、ピーリングを起しやすい。中でも、酸化シリコ
ン材料または酸化金属材料からなる単層、またはこれらの積層が好ましい。ここではスパ
ッタ法で膜厚２００ｎｍの酸化シリコン膜を用いる。この第１の材料層１０１と第２の材
料層１０２の結合力は熱処理には強く、膜剥がれ（ピーリングとも呼ばれる）などが生じ
ないが、物理的手段で簡単に第２の材料層の層内、あるいは界面において剥離することが
できる。
【００７５】
また、下地絶縁膜１０３としては、プラズマＣＶＤ法で成膜温度４００℃、原料ガスＳ
ｉＨ4、ＮＨ3、Ｎ2Ｏから作製される酸化窒化シリコン膜（組成比Ｓｉ＝３２％、Ｏ＝２
７％、Ｎ＝２４％、Ｈ＝１７％）を５０nm（好ましくは１０〜２００nm）形成する。次い
で、表面をオゾン水で洗浄した後、表面の酸化膜を希フッ酸（１／１００希釈）で除去す
る。次いでプラズマＣＶＤ法で成膜温度４００℃、原料ガスＳｉＨ4、Ｎ2Ｏから作製され
る酸化窒化シリコン膜（組成比Ｓｉ＝３２％、Ｏ＝５９％、Ｎ＝７％、Ｈ＝２％）を１０
０ｎｍ（好ましくは５０〜２００nm）の厚さに積層形成し、さらに大気解放せずにプラズ
マＣＶＤ法で成膜温度３００℃、成膜ガスＳｉＨ4で非晶質構造を有する半導体膜（ここ
ではアモルファスシリコン膜）を５４ｎｍの厚さ（好ましくは２５〜８０ｎｍ）で形成す
る。
【００７６】
本実施例では下地膜１０３を２層構造として示したが、前記絶縁膜の単層膜または２層以
上積層させた構造として形成しても良い。また、半導体膜の材料に限定はないが、好まし
くはシリコンまたはシリコンゲルマニウム（ＳｉXＧｅ1-X（Ｘ＝０．０００１〜０．０２
））合金などを用い、公知の手段（スパッタ法、ＬＰＣＶＤ法、またはプラズマＣＶＤ法
等）により形成すればよい。また、プラズマＣＶＤ装置は、枚葉式の装置でもよいし、バ
ッチ式の装置でもよい。また、同一の成膜室で大気に触れることなく下地絶縁膜と半導体
膜とを連続成膜してもよい。
【００７７】
次いで、非晶質構造を有する半導体膜の表面を洗浄した後、オゾン水で表面に約２ｎｍ
の極薄い酸化膜を形成する。
【００７８】
次いで、重量換算で１０ppmのニッケルを含む酢酸ニッケル塩溶液をスピナーで塗布す
る。塗布に代えてスパッタ法でニッケル元素を全面に散布する方法を用いてもよい。
【００７９】
次いで、加熱処理を行い結晶化させて結晶構造を有する半導体膜を形成する。
この加熱処理は、電気炉の熱処理または強光の照射を用いればよい。電気炉の熱処理で行
う場合は、５００℃〜６５０℃で４〜２４時間で行えばよい。ここでは脱水素化のための
熱処理（５００℃、１時間）の後、結晶化のための熱処理（５５０℃、４時間）を行って
結晶構造を有するシリコン膜を得る。なお、ここでは炉を用いた熱処理を用いて結晶化を
行ったが、ランプアニール装置で結晶化を行ってもよい。なお、ここではシリコンの結晶
化を助長する金属元素としてニッケルを用いた結晶化技術を用いたが、他の公知の結晶化
技術、例えば固相成長法やレーザー結晶化法を用いてもよい。
【００８０】
次いで、結晶構造を有するシリコン膜表面の酸化膜を希フッ酸等で除去した後、結晶化
率を高め、結晶粒内に残される欠陥を補修するための第１のレーザー光（ＸｅＣｌ：波長
３０８ｎｍ）の照射を大気中、または酸素雰囲気中で行う。レーザー光には波長４００nm
以下のエキシマレーザ光や、ＹＡＧレーザやＹＶＯ4レーザの第２高調波、第３高調波を
用いる。第１のレーザー光は、パルス発振であってもよいし、連続発振でもよい。パルス
発振の場合、繰り返し周波数１０〜１０００Hz程度のパルスレーザー光を用い、当該レー
ザー光を光学系にて１００〜５００mJ/cm2に集光し、９０〜９５％のオーバーラップ率を
もって照射し、シリコン膜表面を走査させればよい。ここでは、繰り返し周波数３０Ｈｚ
、エネルギー密度３９３mJ/cm2で第１のレーザー光の照射を大気中で行なう。なお、大気
中、または酸素雰囲気中で行うため、第１のレーザー光の照射により表面に酸化膜が形成
される。
【００８１】
次いで、第１のレーザー光の照射により形成された酸化膜を希フッ酸で除去した後、第
２のレーザー光の照射を窒素雰囲気、或いは真空中で行い、半導体膜表面を平坦化する。
このレーザー光（第２のレーザー光）には波長４００nm以下のエキシマレーザー光や、Ｙ
ＡＧレーザーの第２高調波、第３高調波を用いる。第２のレーザー光のエネルギー密度は
、第１のレーザー光のエネルギー密度より大きくし、好ましくは３０〜６０ｍＪ／ｃｍ2
大きくする。ここでは、繰り返し周波数３０Ｈｚ、エネルギー密度４５３mJ/cm2で第２の
レーザー光の照射を行ない、半導体膜表面における凹凸のＰ―Ｖ値（Peak to Valley、高
さの最大値と最小値の差分）が５０ｎｍ以下となる。このＰ−Ｖ値は、ＡＦＭ（原子間力
顕微鏡）
により得られる。
【００８２】
また、本実施例では第２のレーザー光の照射を全面に行ったが、オフ電流の低減は、画
素部のＴＦＴに特に効果があるため、少なくとも画素部のみに選択的に照射する工程とし
てもよい。
【００８３】
次いで、オゾン水で表面を１２０秒処理して合計１〜５ｎｍの酸化膜からなるバリア層
を形成する。
【００８４】
次いで、バリア層上にスパッタ法にてゲッタリングサイトとなるアルゴン元素を含む非
晶質シリコン膜を膜厚１５０ｎｍで形成する。本実施例のスパッタ法による成膜条件は、
成膜圧力を０．３Ｐａとし、ガス（Ａｒ）流量を５０（sccm）
とし、成膜パワーを３ｋＷとし、基板温度を１５０℃とする。なお、上記条件での非晶質
シリコン膜に含まれるアルゴン元素の原子濃度は、３×１０20／ｃｍ3〜６×１０20／ｃ
ｍ3、酸素の原子濃度は１×１０19／ｃｍ3〜３×１０19／ｃｍ3である。その後、ランプ
アニール装置を用いて６５０℃、３分の熱処理を行いゲッタリングする。
【００８５】
次いで、バリア層をエッチングストッパーとして、ゲッタリングサイトであるアルゴン
元素を含む非晶質シリコン膜を選択的に除去した後、バリア層を希フッ酸で選択的に除去
する。なお、ゲッタリングの際、ニッケルは酸素濃度の高い領域に移動しやすい傾向があ
るため、酸化膜からなるバリア層をゲッタリング後に除去することが望ましい。ここでは
ゲッタリングを行った例を示したが、特に限定されず、他のゲッタリング方法でもよい。
【００８６】
次いで、得られた結晶構造を有するシリコン膜（ポリシリコン膜とも呼ばれる）の表面
にオゾン水で薄い酸化膜を形成した後、レジストからなるマスクを形成し、所望の形状に
エッチング処理して島状に分離された半導体層１０４、１０５を形成する。半導体層を形
成した後、レジストからなるマスクを除去する。
【００８７】
次いで、フッ酸を含むエッチャントで酸化膜を除去すると同時にシリコン膜の表面を洗
浄した後、ゲート絶縁膜１０６となる珪素を主成分とする絶縁膜を形成する。本実施例で
は、プラズマＣＶＤ法により１１５ｎｍの厚さで酸化窒化シリコン膜（組成比Ｓｉ＝３２
％、Ｏ＝５９％、Ｎ＝７％、Ｈ＝２％）で形成する。
【００８８】
次いで、図３（Ｂ）に示すように、ゲート絶縁膜１０６上に膜厚２０〜１００ｎｍの第
１の導電膜１０７と、膜厚１００〜４００ｎｍの第２の導電膜１０８とを積層形成する。
本実施例では、ゲート絶縁膜１０６上に膜厚５０ｎｍの窒化タンタル膜、膜厚３７０ｎｍ
のタングステン膜を順次積層する。
【００８９】
第１の導電膜及び第２の導電膜を形成する導電性材料としてはＴａ、Ｗ、Ｔｉ、Ｍｏ、
Ａｌ、Ｃｕから選ばれた元素、または前記元素を主成分とする合金材料もしくは化合物材
料で形成する。また、第１の導電膜及び第２の導電膜としてリン等の不純物元素をドーピ
ングした多結晶シリコン膜に代表される半導体膜や、、ＡｇＰｄＣｕ合金を用いてもよい
。また、２層構造に限定されず、例えば、膜厚５０ｎｍのタングステン膜、膜厚５００ｎ
ｍのアルミニウムとシリコンの合金（Ａｌ−Ｓｉ）膜、膜厚３０ｎｍの窒化チタン膜を順
次積層した３層構造としてもよい。また、３層構造とする場合、第１の導電膜のタングス
テンに代えて窒化タングステンを用いてもよいし、第２の導電膜のアルミニウムとシリコ
ンの合金（Ａｌ−Ｓｉ）膜に代えてアルミニウムとチタンの合金膜（Ａｌ−Ｔｉ）を用い
てもよいし、第３の導電膜の窒化チタン膜に代えてチタン膜を用いてもよい。また、単層
構造であってもよい。
【００９０】
次に、図３（Ｃ）に示すように光露光工程によりレジストからなるマスク１０９を形成
し、ゲート電極及び配線を形成するための第１のエッチング処理を行う。エッチングには
ＩＣＰ（Inductively Coupled Plasma：誘導結合型プラズマ）
エッチング法を用いると良い。ＩＣＰエッチング法を用い、エッチング条件（コイル型の
電極に印加される電力量、基板側の電極に印加される電力量、基板側の電極温度等）を適
宜調節することによって所望のテーパー形状に膜をエッチングすることができる。なお、
エッチング用ガスとしては、Ｃｌ2、ＢＣｌ3、ＳｉＣｌ4、ＣＣｌ4などを代表とする塩素
系ガスまたはＣＦ4、ＳＦ6、ＮＦ3などを代表とするフッ素系ガス、またはＯ2を適宜用い
ることができる。
【００９１】
第１のエッチング処理では、レジストによるマスクの形状と、基板側に印加するバイアス
電圧の効果により端部をテーパー形状とすることができる。テーパー部の角度は１５〜４
５°となるようにする。また、ゲート絶縁膜上に残渣を残すことなくエッチングするため
には、１０〜２０％程度の割合でエッチング時間を増加させると良い。Ｗ膜に対する酸化
窒化シリコン膜の選択比は２〜４（代表的には３）であるので、オーバーエッチング処理
により、酸化窒化シリコン膜が露出した面は２０〜５０ｎｍ程度エッチングされる。こう
して、第１のエッチング処理により第１導電膜と第２導電膜から成る第１形状の導電層１
１０、１１１（第１の導電層１１０ａ、１１１ａと第２導電層１１０ｂ、１１１ｂ）を形
成する。
１１２はゲート絶縁膜であり、第１の形状の導電層で覆われない領域は２０〜５０ｎｍ程
度エッチングされ薄くなる。
【００９２】
そして、第１のドーピング処理を行いｎ型の不純物（ドナー）をドーピングする。（図３
（Ｄ））その方法はイオンドープ法若しくはイオン注入法で行う。イオンドープ法の条件
はドーズ量を１×１０13〜５×１０14／ｃｍ2として行う。ｎ型を付与する不純物元素と
して１５族に属する元素、典型的にはリン（Ｐ）または砒素（Ａｓ）を用いる。この場合
、第１形状の導電層１１０、１１１はドーピングする元素に対してマスクとなり、加速電
圧を適宣調節（例えば、２０〜６０ｋｅＶ）して、ゲート絶縁膜１１２を通過した不純物
元素により不純物領域（ｎ＋領域）１１３、１１４を形成する。例えば、不純物領域（ｎ
＋領域）におけるリン（Ｐ）濃度は１×１０20〜１×１０21／ｃｍ3の範囲となるように
する。
【００９３】
次いで、図４（Ａ）に示すように第２のドーピング処理を行う。第１のドーピング処理よ
りもドーズ量を下げ高加速電圧の条件でｎ型の不純物（ドナー）をドーピングする。例え
ば、加速電圧を７０〜１２０ｋｅＶとし、１×１０13／ｃｍ2のドーズ量で行い、図３（
Ｄ）で半導体層に形成された第１の不純物領域の内側に不純物領域を形成する。ドーピン
グは、第２の導電膜１１０ｂ、１１１ｂを不純物元素に対するマスクとして用い、第１の
導電膜１１０ａ、１１１ａの下側の領域に不純物元素が添加されるようにドーピングする
。こうして、第１の導電膜１１０ａ、１１１ａと重なる不純物領域（ｎ−領域）１１５、
１１６が形成される。この不純物領域は、第２の導電層１１０ａ、１１１ａがほぼ同じ膜
厚で残存していることから、第２の導電層に沿った方向における濃度差は小さく、１×１
０17〜１×１０19／ｃｍ3の濃度で形成する。
【００９４】
次いで、図４（Ｂ）に示すように第２のエッチング処理を行う。エッチングはＩＣＰエッ
チング法を用い、エッチングガスにＣＦ4とＣｌ2とＯ2を混合して、１Ｐａの圧力でコイ
ル型の電極に５００ＷのＲＦ電力(１３．５６ＭＨｚ)を供給してプラズマを生成する。基
板側（試料ステージ）には５０ＷのＲＦ（１３．５６ＭＨｚ）電力を投入し、第１のエッ
チング処理に比べ低い自己バイアス電圧を印加する。このような条件によりタングステン
膜を異方性エッチングし、第１の導電層である窒化タンタル膜またはチタン膜を残存させ
るようにする。こうして、第２形状の導電層１１７、１１８（第１の導電膜１１７ａ、１
１８ａと第２の導電膜１１７ｂ、１１８ｂ）を形成する。１１９はゲート絶縁膜であり、
第２の形状の導電層１１７、１１８で覆われない領域はさらに２０〜５０ｎｍ程度エッチ
ングされて膜厚が薄くなる。
【００９５】
そして、図４（Ｃ）に示すように、レジストによるマスク１２０を形成し、ｐチャネル
型ＴＦＴを形成する半導体層にｐ型の不純物（アクセプタ）をドーピングする。典型的に
はボロン（Ｂ）を用いる。不純物領域（ｐ＋領域）１２１、１２２の不純物濃度は２×１
０20〜２×１０21／ｃｍ3となるようにし、含有するリン濃度の１．５〜３倍のボロンを
添加して導電型を反転させる。
【００９６】
以上までの工程でそれぞれの半導体層に不純物領域が形成される。第２形状の導電層１１
７、１１８はゲート電極となる。その後、図４（Ｄ）に示すように、窒化シリコン膜また
は酸化窒化シリコン膜から成る保護絶縁膜１２３をプラズマＣＶＤ法で形成する。そして
導電型の制御を目的としてそれぞれの半導体層に添加された不純物元素を活性化する工程
を行う。
【００９７】
さらに、窒化シリコン膜１２４を形成し、水素化処理を行う。その結果、窒化シリコン膜
１２４中の水素が半導体層中に拡散させることで水素化を達成することができる。
【００９８】
次いで、層間絶縁膜１２５を形成する。層間絶縁膜１２５は、ポリイミド、アクリルな
どの有機絶縁物材料で形成する。勿論、プラズマＣＶＤ法でＴＥＯＳ（Tetraethyl Ortho
silicate）を用いて形成される酸化シリコン膜を適用しても良いが、平坦性を高める観
点からは前記有機物材料を用いることが望ましい。
【００９９】
次いで、コンタクトホールを形成し、アルミニウム（Ａｌ）、チタン（Ｔｉ）
、タンタル（Ｔａ）などを用いて、ソース配線またはドレイン配線１２６〜１２８を形成
する。
【０１００】
以上の工程で、ｎチャネル型ＴＦＴとｐチャネル型ＴＦＴとを相補的に組み合わせたＣ
ＭＯＳ回路を得ることができる。
【０１０１】
ｐチャネル型ＴＦＴにはチャネル形成領域１３０、ソース領域またはドレイン領域とし
て機能する不純物領域１２１、１２２を有している。
【０１０２】
ｎチャネル型ＴＦＴにはチャネル形成領域１３１、第２形状の導電層から成るゲート電
極１１８と重なる不純物領域１１６ａ（Gate Overlapped Drain：ＧＯＬＤ領域）、ゲー
ト電極の外側に形成される不純物領域１１６ｂ（ＬＤＤ領域）
とソース領域またはドレイン領域として機能する不純物領域１１９を有している。
【０１０３】
このようなＣＭＯＳ回路は、アクティブマトリクス型の発光装置やアクティブマトリク
ス型の液晶表示装置における駆動回路の一部を形成することを可能とする。それ以外にも
、このようなｎチャネル型ＴＦＴまたはｐチャネル型ＴＦＴは、画素部のトランジスタに
応用することができる。
【０１０４】
このようなＣＭＯＳ回路を組み合わせることで基本論理回路を構成したり、さらに複雑
なロジック回路（信号分割回路、Ｄ／Ａコンバータ、オペアンプ、γ補正回路など）をも
構成することができ、さらにはメモリやマイクロプロセッサをも形成することが可能であ
る。
【実施例２】
【０１０５】
ここでは、上記実施例１で得られるＴＦＴを用いてＯＬＥＤを有する発光装置を作製し
た例について図５を用い、以下に説明する。
【０１０６】
同一の絶縁体上に画素部とそれを駆動する駆動回路を有した発光装置の例（但し封止前
の状態）を図５に示す。なお、駆動回路には基本単位となるＣＭＯＳ回路を示し、画素部
には一つの画素を示す。このＣＭＯＳ回路は実施例１に従えば得ることができる。
【０１０７】
図５において、２００は基板、２０１は第１の材料層、２０２は第２の材料層であり、
その素子形成基板上に設けられた下地絶縁層２０３上にはｎチャネル型ＴＦＴとｐチャネ
ル型ＴＦＴからなる駆動回路２０４、ｐチャネル型ＴＦＴからなるスイッチングＴＦＴお
よびｎチャネル型ＴＦＴからなる電流制御ＴＦＴとが形成されている。また、本実施例で
は、ＴＦＴはすべてトップゲート型ＴＦＴで形成されている。
【０１０８】
ｎチャネル型ＴＦＴおよびｐチャネル型ＴＦＴの説明は実施例１を参照すれば良いので
省略する。また、スイッチングＴＦＴはソース領域およびドレイン領域の間に二つのチャ
ネル形成領域を有した構造（ダブルゲート構造）となっているｐチャネル型ＴＦＴである
。なお、本実施例はダブルゲート構造に限定されることなく、チャネル形成領域が一つ形
成されるシングルゲート構造もしくは三つ形成されるトリプルゲート構造であっても良い
。
【０１０９】
また、電流制御ＴＦＴのドレイン領域２０６の上には第２層間絶縁膜２０８が設けられる
前に、第１層間絶縁膜２０７にコンタクトホールが設けられている。これは第２層間絶縁
膜２０８にコンタクトホールを形成する際に、エッチング工程を簡単にするためである。
第２層間絶縁膜２０８にはドレイン領域２０６に到達するようにコンタクトホールが形成
され、ドレイン領域２０６に接続された画素電極２０９が設けられている。画素電極２０
９はＯＬＥＤの陰極として機能する電極であり、周期表の１族もしくは２族に属する元素
を含む導電膜を用いて形成されている。本実施例では、リチウムとアルミニウムとの化合
物からなる導電膜を用いる。
【０１１０】
次に、２１３は画素電極２０９の端部を覆うように設けられた絶縁膜であり、本明細書
中ではバンクと呼ぶ。バンク２１３は珪素を含む絶縁膜もしくは樹脂膜で形成すれば良い
。樹脂膜を用いる場合、樹脂膜の比抵抗が１×１０6〜１×１０12Ωｍ（好ましくは１×
１０8〜１×１０10Ωｍ）となるようにカーボン粒子もしくは金属粒子を添加すると、成
膜時の絶縁破壊を抑えることができる。
【０１１１】
また、ＯＬＥＤ２１０は画素電極（陰極）２０９、有機化合物層２１１および陽極２１
２からなる。陽極２１２は、仕事関数の大きい導電膜、代表的には酸化物導電膜が用いら
れる。酸化物導電膜としては、酸化インジウム、酸化スズ、酸化亜鉛もしくはそれらの化
合物を用いれば良い。
【０１１２】
なお、本明細書中では発光層に対して正孔注入層、正孔輸送層、正孔阻止層、電子輸送
層、電子注入層もしくは電子阻止層を組み合わせた積層した層の総称を有機化合物層と定
義する。但し、有機化合物層には有機化合物膜を単層で用いた場合も含むものとする。
【０１１３】
また、発光層としては、有機化合物材料であれば特に限定されないが、高分子材料や低分
子材料を用いてもよく、例えばニ重項励起により発光する発光材料からなる薄膜、あるい
は三重項励起により発光する発光材料からなる薄膜を用いることができる。
【０１１４】
なお、ここでは図示しないが陽極２１２を形成した後、ＯＬＥＤ２１０を完全に覆うよう
にしてパッシベーション膜を設けることは有効である。パッシベーション膜としては、熱
伝導性を有する膜、例えば、ＡｌＮXＯYで示される層が適している。また、他のパッシベ
ーション膜としては、さらにＤＬＣ膜、窒化珪素膜もしくは窒化酸化珪素膜を含む絶縁膜
を積層してもよく、これらを組み合わせた積層を用いてもよい。
【０１１５】
次いで、ＯＬＥＤ２１０を保護するため、実施の形態に示したように支持体となるカバ
ー材を貼りつけて封止（または封入）工程まで行った後、第１の材料層２０１が設けられ
た基板２００を引き剥がす。そして第２の材料層にフィルム基板を接着層で貼り合わせる
。貼り合わせるフィルム基板上には複数のバリア膜と、前記バリア膜どうしの間に前記バ
リア膜よりも応力の小さい層（応力緩和膜）
とが設けられており、貼り合わせた後の状態が、実施の形態１に示した図１（Ａ）、図１
（Ｂ）である。第２の材料層２０２が絶縁膜１１に対応している。
【実施例３】
【０１１６】
ここでは、実施例２に示した工程とは異なる例を示し、具体的には剥離工程及び貼り合
わせ工程についてさらに詳細な説明を図６、図７を用いて説明する。
【０１１７】
図６（Ａ）中、３００は基板、３０１は窒化物層、３０２は酸化物層、３０３は下地絶
縁層、３０４a〜３０４ｃは素子、３０５はＯＬＥＤ、３０６は層間絶縁膜である。
【０１１８】
図６（Ａ）において、基板３００はガラス基板、石英基板、セラミック基板などを用い
ることができる。また、シリコン基板、金属基板またはステンレス基板を用いても良い。
【０１１９】
まず、図６（Ａ）に示すように、実施の形態に従って、基板３００上に第１の材料層３
０１と第２の材料層３０２とを形成する。この第１の材料層３０１の膜応力と、第２の材
料層３０２の膜応力とを異ならせることが重要である。各々の膜厚は、１ｎｍ〜１０００
ｎｍの範囲で適宜設定し、各々の膜応力を調節すればよい。
【０１２０】
次いで、第２の材料層３０２上に被剥離層を形成する。被剥離層は、ＴＦＴを代表とす
る様々な素子（薄膜ダイオード、シリコンのＰＩＮ接合からなる光電変換素子やシリコン
抵抗素子）を含む層とすればよい。また、基板３００の耐え得る範囲の熱処理を行うこと
ができる。なお、本発明において、第２の材料層３０２の膜応力と、第１の材料層３０１
の膜応力が異なっていても、被剥離層の作製工程における熱処理によって膜剥がれなどが
生じない。ここでは、被剥離層として、下地絶縁層３０３上に、駆動回路２３の素子３０
４ａ、３０４ｂ、および画素部３０４の素子３０４ｃを形成し、画素部３０４の素子３０
４ｃと電気的に接続するＯＬＥＤ１５を形成し、ＯＬＥＤを覆うように膜厚１０ｎｍ〜１
０００ｎｍである層間絶縁膜（透光性を有する有機樹脂）３０６を形成する。（図１（Ａ
））
【０１２１】
また、第１の材料層３０１や第２の材料層３０２によって表面に凹凸が形成された場合
、下地絶縁層を形成する前後に表面を平坦化してもよい。平坦化を行った方が、被剥離層
においてカバレッジが良好となり、素子を含む被剥離層を形成する場合、素子特性が安定
しやすいため好ましい。なお、この平坦化処理として、塗布膜（レジスト膜等）を形成し
た後エッチングなどを行って平坦化するエッチバック法や機械的化学的研磨法（ＣＭＰ法
）等を用いればよい。
【０１２２】
次いで、層間絶縁膜３０６上に膜厚１０ｎｍ〜１０００ｎｍであるＡｌＮXＯY膜で示さ
れるアルミニウムを含む窒化酸化物膜３０７を形成する。（図６（Ｂ）
）このＡｌＮXＯY膜３０７は保護膜として機能する。ここでは、窒化アルミニウム（Ａｌ
Ｎ）ターゲットを用い、アルゴンガス（２０ｓｃｃｍ）と窒素ガス（１５ｓｃｃｍ）と酸
素ガス（５ｓｃｃｍ）を混合した雰囲気下にて成膜する。また、アルミニウム（Ａｌ）タ
ーゲットを用い、窒素ガス及び酸素ガスを含む雰囲気下にて成膜してもよい。また、Ａｌ
ＮXＯY膜３０７は、装置外から水分や酸素などの不純物といったＯＬＥＤ１５の劣化を促
す物質が侵入することを防ぐ効果も有している。
【０１２３】
次いで、ＦＰＣ３１０やＩＣチップ（図示しない）をＣＯＧ（chip on glass）方式や
ＴＡＢ（tape automated bonding）方式やワイヤボンディング方法で貼り付ける。また、
各ＴＦＴ素子の各配線と入出力端子３１１は、配線（接続配線）で繋がれており、入出力
端子３１１にはＦＰＣ３１０を異方性導電材で接着する。異方性導電材は樹脂と表面にＡ
ｕなどがメッキされた数十〜数百μm径の導電性粒子から成り、導電性粒子により入出力
端子とＦＰＣに形成された配線とが電気的に接続される。メモリ、ＣＰＵ、コントローラ
、Ｄ／Ａコンバータ等を備えたＩＣチップも同様に異方性導電材で基板に接着し、樹脂中
に混入された導電性粒子により、ＩＣチップに設けられた入出力端子と引出線または接続
配線及び入出力端子と電気的に接続する。
【０１２４】
次いで、基板３００を物理的手段により引き剥がすために被剥離層を固定する支持体（
プラスチック基板からなるカバー材）３０９をエポキシ樹脂などの接着層３０８で貼りつ
ける。（図６（Ｃ））ここでは、被剥離層の機械的強度が不十分であると仮定した例を示
しているが、被剥離層の機械的強度が十分である場合には、被剥離層を固定する支持体な
しで剥離することもできる。ＦＰＣ３１０やＩＣチップを覆って支持体３０９を貼り付け
るため、支持体３０９の接着により、入出力端子３１１とＦＰＣとの接続をさらに固定す
ることができる。また、ここではＦＰＣやＩＣチップを接着した後に支持体を接着した例
を示したが、支持体を接着した後、ＦＰＣやＩＣチップを装着してもよい。
【０１２５】
次いで、第１の材料層３０１が設けられている基板３００を物理的手段により引き剥が
す。第２の材料層３０２の膜応力と、第１の材料層３０１の膜応力が異なっているため、
比較的小さな力で引き剥がすことができる。第１の材料層３０１と第２の材料層３０２と
の結合力は、熱エネルギーには耐え得る強さを有している一方、互いの膜応力は異なり、
第１の材料層３０１と第２の材料層３０２との間には応力歪みを有しているため、力学的
エネルギーに弱く、剥離するには最適である。こうして、第２の材料層３０２上に形成さ
れた被剥離層を基板３００から分離することができる。剥離後の状態を図７（Ａ）に示す
。なお、この剥離方法は、小さな面積を有する被剥離層の剥離だけでなく、大きな面積を
有する被剥離層を全面に渡って歩留まりよく剥離することが可能である。
【０１２６】
次いで、第２の材料層３０２をエポキシ樹脂などの接着層３０８により転写体３０９ａ
に貼り付ける。実施の形態では、カバー材と保護膜との間に空隙を有する例を示したが、
本実施例では保護膜３０７に接着層を接着した例を示す。
【０１２７】
また、ここでは、転写体３０９ａをプラスチックフィルム基板とすることで、軽量化を
図っている。また、転写体３０９ａ上にバリア膜として機能するＡｌＮXＯYで示される層
（ＡｌＮXＯY膜とも呼ぶ）３０９ｂと、応力緩和膜（有機樹脂）３０９ｃと、ＡｌＮXＯY
膜３０９ｄとの積層を設けて、バリア膜で水分や酸素などの不純物が有機発光層に入り込
むのを効果的に防ぐとともに、複数のバリア膜の間に応力緩和膜を設けることによって、
よりフレキシブルな発光装置になり、曲げたときのクラックを防ぐことができる。
【０１２８】
このようにしてフレキシブルなプラスチック基板上に形成されたＯＬＥＤを有する発光
装置が完成する。
【０１２９】
なお、本明細書中において、転写体とは、剥離された後、被剥離層と接着させるもので
あり、特に限定されず、プラスチック、ガラス、金属、セラミックス等、いかなる組成の
基材でもよい。また、本明細書中において、支持体とは、物理的手段により剥離する際に
被剥離層と接着するためのものであり、特に限定されず、プラスチック、ガラス、金属、
セラミックス等、いかなる組成の基材でもよい。また、転写体の形状および支持体の形状
も特に限定されず、平面を有するもの、曲面を有するもの、可曲性を有するもの、フィル
ム状のものであってもよい。また、軽量化を最優先するのであれば、フィルム状のプラス
チック基板、例えば、ポリエチレンテレフタレート（ＰＥＴ）、ポリエーテルスルホン（
ＰＥＳ）
、ポリエチレンナフタレート（ＰＥＮ）、ポリカーボネート（ＰＣ）、ナイロン、ポリエ
ーテルエーテルケトン（ＰＥＥＫ）、ポリスルホン（ＰＳＦ）、ポリエーテルイミド（Ｐ
ＥＩ）、ポリアリレート（ＰＡＲ）、ポリブチレンテレフタレート（ＰＢＴ）などのプラ
スチック基板が好ましい。
【実施例４】
【０１３０】
本実施例では、画素電極を陽極とし、有機化合物層と陰極を積層して実施の形態（図１
）とは逆方向に発光する構成の一例を図８に示す。なお、上面図は図１と同一であるので
省略する。
【０１３１】
図８に示した断面構造について以下に説明する。ＡｌＮXＯY膜１０００ｂと応力緩和膜
１０００ｃと、ＡｌＮXＯY膜１０００ｄとの積層が設けられたフィルム基板１０００ａが
絶縁膜１００１と接着層１０２３で貼り合わせられている。絶縁膜１００１上には絶縁膜
１０１０が設けられ、絶縁膜１０１０の上方には画素部１００２、ゲート側駆動回路１０
０３が形成されており、画素部１００２は電流制御用ＴＦＴ１０１１とそのドレインに電
気的に接続された画素電極１０１２を含む複数の画素により形成される。電流制御用ＴＦ
Ｔ１０１１は、ｎチャネル型ＴＦＴを用いることも可能であるが、ｐチャネル型ＴＦＴを
用いることが好ましい。また、ゲート側駆動回路１００３はｎチャネル型ＴＦＴ１０１３
とｐチャネル型ＴＦＴ１０１４とを組み合わせたＣＭＯＳ回路を用いて形成される。
【０１３２】
これらのＴＦＴ（１０１１、１０１３、１０１４を含む）は、上記実施例１のｎチャネ
ル型ＴＦＴ２０１、上記実施例１のｐチャネル型ＴＦＴ２０２に従って作製すればよい。
【０１３３】
画素電極１０１２は発光素子（ＯＬＥＤ）の陽極として機能する。また、画素電極１０
１２の両端にはバンク１０１５が形成され、画素電極１０１２上には有機化合物層１０１
６および発光素子の陰極１０１７が形成される。
【０１３４】
陰極１０１７は全画素に共通の配線としても機能し、接続配線１００８を経由してＦＰ
Ｃ１００９に電気的に接続されている。さらに、画素部１００２及びゲート側駆動回路１
００３に含まれる素子は全て陰極１０１７、有機樹脂１０１８、及び保護膜１０１９で覆
われている。保護膜１０１９として、１０００ｂと同じＡｌＮXＯY膜を用いてもよい。ま
た、カバー材１０２０と接着層で貼り合わせている。また、カバー材には凹部を設け、乾
燥剤１０２１を設置する。
【０１３５】
また、カバー材１０２０を図８に示す凹部形状とした場合、支持体となるカバー材１０
２０を接着した後、剥離する際には配線引き出し端子の部分が絶縁膜１０１０のみとなり
機械強度が弱くなるため、剥離前にＦＰＣ１００９を貼りつけ、さらに有機樹脂１０２２
で固定することが望ましい。
【０１３６】
また、図８では、画素電極を陽極とし、有機化合物層と陰極を積層したため、発光方向
は図８に示す矢印の方向となっている。
【０１３７】
また、ここではトップゲート型ＴＦＴを例として説明したが、ＴＦＴ構造に関係なく本
発明を適用することが可能であり、例えばボトムゲート型（逆スタガ型）ＴＦＴや順スタ
ガ型ＴＦＴに適用することが可能である。
【実施例５】
【０１３８】
また、実施の形態ではトップゲート型ＴＦＴを用いた例を示したが、ボトムゲート型ＴＦ
Ｔを用いることも可能である。ここではボトムゲート型ＴＦＴを用いた例を図９に示す。
【０１３９】
図９中に示したようにｎチャネル型ＴＦＴ１１１３、ｐチャネル型ＴＦＴ１１１４、ｎ
チャネル型ＴＦＴ１１１１を全てボトムゲート構造とする。これらのボトムゲート構造は
、公知の技術を用いて作製すればよい。なお、これらのＴＦＴの活性層は、結晶構造を有
する半導体膜（ポリシリコン等）であってもよいし、非晶質構造を有する半導体膜（アモ
ルファスシリコン等）であってもよい。
【０１４０】
また、図９中、１１００ａは、可撓性を有するフィルム基板（例えば、プラスチック基
板等）、１１００ｂ、１１００ｄはＡｌＮXＯY膜、１１００ｃは、応力緩和膜（有機樹脂
）、１１０１は、第２の材料層（例えば、酸化シリコン膜）である絶縁膜、１１０２は画
素部、１１０３はゲート側駆動回路、１１１０は絶縁膜、１１１２は画素電極（陰極）、
１１１５はバンク、１１１６は有機化合物層、１１１７は陽極、１１１８は有機樹脂、１
１１９は保護膜（ＡｌＮXＯY膜）、１１２０はカバー材、１１２１は乾燥剤、１１２２は
有機樹脂、１１２３は接着層である。
【０１４１】
また、ｎチャネル型ＴＦＴ１１１３、ｐチャネル型ＴＦＴ１１１４、ｎチャネル型ＴＦ
Ｔ１１１１以外の構成は、実施の形態と同一であるのでここでは説明を省略する。
【実施例６】
【０１４２】
本発明を実施して形成されたＥＬモジュールは様々な電子機器の表示部に用いることがで
きる。即ち、ＥＬモジュールを表示部に組み込んだ電子機器全てに本発明を実施できる。
【０１４３】
その様な電子機器としては、ビデオカメラ、デジタルカメラ、ヘッドマウントディスプ
レイ（ゴーグル型ディスプレイ）、カーナビゲーション、プロジェクタ、カーステレオ、
パーソナルコンピュータ、携帯情報端末（モバイルコンピュータ、携帯電話または電子書
籍等）などが挙げられる。それらの一例を図１０、図１１に示す。
【０１４４】
図１０（Ａ）はパーソナルコンピュータであり、本体２００１、画像入力部２００２、表
示部２００３、キーボード２００４等を含む。本発明を表示部２００３に適用することが
できる。
【０１４５】
図１０（Ｂ）はビデオカメラであり、本体２１０１、表示部２１０２、音声入力部２１０
３、操作スイッチ２１０４、バッテリー２１０５、受像部２１０６等を含む。本発明を表
示部２１０２に適用することができる。
【０１４６】
図１０（Ｃ）はモバイルコンピュータ（モービルコンピュータ）であり、本体２２０１、
カメラ部２２０２、受像部２２０３、操作スイッチ２２０４、表示部２２０５等を含む。
本発明は表示部２２０５に適用できる。
【０１４７】
図１０（Ｄ）はゴーグル型ディスプレイであり、本体２３０１、表示部２３０２、アーム
部２３０３等を含む。本発明は表示部２３０２に適用することができる。
【０１４８】
図１０（Ｅ）はプログラムを記録した記録媒体（以下、記録媒体と呼ぶ）を用いるプレー
ヤーであり、本体２４０１、表示部２４０２、スピーカ部２４０３、記録媒体２４０４、
操作スイッチ２４０５等を含む。なお、このプレーヤーは記録媒体としてＤＶＤ（Ｄｉｇ
ｔｉａｌ  Ｖｅｒｓａｔｉｌｅ  Ｄｉｓｃ）、ＣＤ等を用い、音楽鑑賞や映画鑑賞やゲー
ムやインターネットを行うことができる。本発明は表示部２４０２に適用することができ
る。
【０１４９】
図１０（Ｆ）はデジタルカメラであり、本体２５０１、表示部２５０２、接眼部２５０
３、操作スイッチ２５０４、受像部（図示しない）等を含む。本発明を表示部２５０２に
適用することができる。
【０１５０】
図１１（Ａ）は携帯電話であり、本体２９０１、音声出力部２９０２、音声入力部２９
０３、表示部２９０４、操作スイッチ２９０５、アンテナ２９０６、画像入力部（ＣＣＤ
、イメージセンサ等）２９０７等を含む。本発明を表示部２９０４に適用することができ
る。
【０１５１】
図１１（Ｂ）は携帯書籍（電子書籍）であり、本体３００１、表示部３００２、３００
３、記憶媒体３００４、操作スイッチ３００５、アンテナ３００６等を含む。本発明は表
示部３００２、３００３に適用することができる。
【０１５２】
図１１（Ｃ）はディスプレイであり、本体３１０１、支持台３１０２、表示部３１０３
等を含む。本発明は表示部３１０３に適用することができる。
【０１５３】
ちなみに図１１（Ｃ）に示すディスプレイは中小型または大型のもの、例えば５〜２０
インチの画面サイズのものである。また、このようなサイズの表示部を形成するためには
、基板の一辺が１ｍのものを用い、多面取りを行って量産することが好ましい。
【０１５４】
以上の様に、本発明の適用範囲は極めて広く、あらゆる分野の電子機器の作製方法に適
用することが可能である。また、本実施例の電子機器は実施例１〜５のどのような組み合
わせからなる構成を用いても実現することができる。
【図１】
0005634536.tif 000002
【図２】
0005634536.tif 000003
【図３】
0005634536.tif 000004
【図４】
0005634536.tif 000005
【図５】
0005634536.tif 000006
【図６】
0005634536.tif 000007
【図７】
0005634536.tif 000008
【図８】
0005634536.tif 000009
【図９】
0005634536.tif 000010
【図１０】
0005634536.tif 000011
【図１１】
0005634536.tif 000012
【図１２】
0005634536.tif 000013
【図１３】
0005634536.tif 000014
【図１４】
0005634536.tif 000015
【図１５】
0005634536.tif 000016